(57)【要約】【課題】情報表示用パネルにおける粒子の帯電量を求めるにあたり、非破壊の測定が可能で測定効率が大幅に上昇し、データ数も増加して優れた測定精度を得ることができ、しかも、リアルタイムの計測が可能となる情報表示用パネルにおける粒子の帯電量測定方法を提供する。【解決手段】情報表示用パネルで表示媒体として用いる粒子の帯電量測定方法において、２枚のパネル基板間に充填した複数種の粒子のうち、（１）パネルの表示面側に移動した粒子を観察するための高速度の撮影装置を設け、パネルの表示面に移動した複数種の粒子の各粒子数を、リアルタイムで計測し、（２）粒子数のリアルタイムの計測と同期して、基板間を流れる電流をリアルタイムで計測し、移動した電荷量をリアルタイムで求め、（３）移動した電荷量を粒子数で除することで、移動した粒子の帯電量を測定する。また、粒子の帯電量の分布も分かる。【選択図】図９
2009145679.tif 000002
【特許請求の範囲】
【請求項１】
情報表示用パネルで表示媒体として用いる粒子の帯電量測定方法において、２枚のパネル基板間に充填した複数種の粒子のうち、（１）パネルの表示面側に移動した粒子を観察するための高速度の撮影装置を設け、パネルの表示面に移動した複数種の粒子の各粒子数を、リアルタイムで計測し、（２）粒子数のリアルタイムの計測と同期して、基板間を流れる電流をリアルタイムで計測し、移動した電荷量をリアルタイムで求め、（３）移動した電荷量を粒子数で除することで、移動した粒子の帯電量を測定することを特徴とする情報表示用パネルにおける粒子の帯電量測定方法。
【請求項２】
前記高速度の撮影装置が、顕微鏡および顕微鏡の画像をリアルタイムで撮像する高速度撮影カメラから構成されることを特徴とする請求項１に記載の情報表示用パネルにおける粒子の帯電量測定方法。
【請求項３】
前記顕微鏡の合焦範囲を粒子の直径の０．０５〜２倍とすることを特徴とする請求項２に記載の情報表示用パネルにおける粒子の帯電量測定方法。
【請求項４】
前記パネルの表示面における粒子の各々の数を、パネルに対し、表示面側からの偏射光と裏面側からの透過光とを同時に照射し、リアルタイムで計測することを特徴とする請求項１〜３のいずれか１項に記載の情報表示用パネルにおける粒子の帯電量測定方法。
【請求項５】
前記偏射光が、パネル表示面に対し垂直方向に対し、３０°〜７５°の角度を有することを特徴とする請求項４に記載の情報表示用パネルにおける粒子の帯電量測定方法。
【発明の詳細な説明】
【技術分野】
【０００１】
本発明は、透明基板間を粒子が移動して画像等の情報を表示する情報表示用パネルにおける粒子の帯電量測定方法に関するものである。
【背景技術】
【０００２】
従来、少なくとも一方が透明な２枚の基板間に粒子群として構成した表示媒体を封入し、表示媒体に電界を付与することによって、表示媒体を移動させて画像等の情報を表示する情報表示用パネルが知られている。そして、そのような情報表示用パネルにおいて、保持している画像表示状態を読み出すために粒子の帯電量を求める必要があり、粒子の帯電量をブローオフ法により測定することが知られている（例えば、特許文献１参照）。
【０００３】
【特許文献１】特開２００４−５４２２７号公報
【発明の開示】
【発明が解決しようとする課題】
【０００４】
上述した従来の情報表示用パネルにおいて、粒子の帯電量をブローオフ法によって求めるためには、パネルを破壊して帯電量を測定しなければならず、非破壊の測定をすることができない問題があった。また、通常、書き換え回数を増やす毎に帯電量を求める必要があるため、同じパネルを測定水準の枚数分だけ準備しなければならないとともに、ブローオフ法を実施するために用いる装置も大掛かりなものであり、測定効率が悪い問題もあった。さらに、準備できるパネル枚数の点でそれほど多数のデータを取ることはできず、測定精度がそれほど良くない問題もあった。さらにまた、電荷量や粒子重量のリアルタイムの分布、特に、一部の粒子が表示面側の基板に貼り付いた場合の電荷量や粒子の電荷の分布も分からなかった。
【０００５】
本発明の目的は上述した問題点を解消して、情報表示用パネルにおける粒子の帯電量を求めるにあたり、非破壊の測定が可能で測定効率が大幅に上昇し、データ数も増加して優れた測定精度を得ることができ、しかも、リアルタイムの計測が可能となる情報表示用パネあルにおける粒子の帯電量測定方法を提供しようとするものである。
【課題を解決するための手段】
【０００６】
本発明の情報表示用パネルにおける粒子の帯電量測定方法は、情報表示用パネルで表示媒体として用いる粒子の帯電量測定方法において、２枚のパネル基板間に充填した複数種の粒子のうち、（１）パネルの表示面側に移動した粒子を観察するための高速度の撮影装置を設け、パネルの表示面に移動した複数種の粒子の各々の数を、リアルタイムで計測し、（２）粒子数のリアルタイムの計測と同期して、基板間を流れる電流をリアルタイムで計測し、移動した電荷量をリアルタイムで求め、（３）移動した電荷量を粒子数で除することで、移動した粒子の帯電量を測定することを特徴とするものである。
【０００７】
本発明の情報表示用パネルにおける粒子の帯電量測定方法の好適例としては、高速度の撮影装置が、顕微鏡および顕微鏡の画像をリアルタイムで撮像する高速カメラから構成されること、顕微鏡の合焦範囲を粒子の直径の０．０５〜２倍とすること、パネルの表示面における粒子の各粒子数を、パネルに対し、表示面側からの偏射光と裏面側からの透過光とを同時に照射し、リアルタイムで計測すること、偏射光が、パネル表示面に対し垂直方向に対し、３０°〜７５°の角度を有すること、がある。
【発明の効果】
【０００８】
本発明によれば、（１）パネルの表示面側に移動した粒子を観察するための高速度の撮影装置を設け、パネルの表示面に移動した複数種の粒子の各々の数を、リアルタイムで計測し、（２）粒子数のリアルタイムの計測と同期して、基板間を流れる電流をリアルタイムで計測し、移動した電荷量をリアルタイムで求め、（３）移動した電荷量を粒子数で除することで、移動した粒子の帯電量を測定測定しているため、情報表示用パネルにおける粒子の帯電量を求めるにあたり、非破壊の測定が可能で測定効率が大幅に上昇し、データ数も増加して優れた測定精度を得ることができ、しかも、リアルタイムの計測が可能となる情報表示用パネルにおける粒子の帯電量測定方法を得ることができる。
【発明を実施するための最良の形態】
【０００９】
まず、本発明の粒子の帯電量測定方法の対象となる情報表示用パネルの基本的な構成について説明する。本発明を用いる対象となる情報表示用パネルでは、対向する２枚のパネル基板間に封入した帯電性粒子を含んで構成した表示媒体に電界が付与される。付与された電界方向にそって、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１０】
本発明を用いる対象となる情報表示用パネルの例を、図１（ａ）、（ｂ）〜図２（ａ）、（ｂ）に基づき説明する。
【００１１】
図１（ａ）、（ｂ）に示す例では、光学的反射率と帯電性とを有する粒子を含む少なくとも１種以上の粒子からなる粒子群として構成される、互いに光学的反射率および帯電特性が異なる表示媒体３を少なくとも２種以上（ここでは白色表示媒体用粒子３Ｗａの粒子群からなる白色表示媒体３Ｗと黒色表示媒体用粒子３Ｂａの粒子群からなる黒色表示媒体３Ｂを示す）基板間に封入し、隔壁４で形成された各セル７において、基板１に設けた電極５（個別電極）と基板２に設けた電極６（個別電極）との間に電圧を印加することにより発生する電界に応じて、基板１、２と垂直に移動させる。そして、図１（ａ）に示すように白色表示媒体３Ｗを観察者に視認させて白色ドット表示を行うか、あるいは、図１（ｂ）に示すように黒色表示媒体３Ｂを観察者に視認させて黒色ドット表示を行っている。なお、図１（ａ）、（ｂ）において、手前にある隔壁は省略している。
【００１２】
図２（ａ）、（ｂ）に示す例では、光学的反射率と帯電性を有する粒子を含む少なくとも１種以上の粒子からなる粒子群として構成される、互いに光学的反射率および帯電特性の異なる表示媒体３を２種以上（ここでは白色表示媒体用粒子３Ｗａの粒子群からなる白色表示媒体３Ｗと黒色表示媒体用粒子３Ｂａの粒子群からなる黒色表示媒体３Ｂを示す）基板間に封入し、隔壁４で形成された各セル７において、基板１に設けた電極５（ライン電極）と基板２に設けた電極６（ライン電極）との間に電圧を印加することにより発生する電界に応じて、基板１、２と垂直に移動させる。そして、図２（ａ）に示すように白色表示媒体３Ｗを観察者に視認させて白色ドット表示を行うか、あるいは、図２（ｂ）に示すように黒色表示媒体３Ｂを観察者に視認させて黒色ドット表示を行っている。なお、図２（ａ）、（ｂ）において、手前にある隔壁は省略している。
【００１３】
本発明の帯電量測定方法の特徴は、（１）パネルの表示面側に移動した粒子を観察するための高速度の撮影装置を設け、パネルの表示面に移動した複数種の粒子の各々の数を、リアルタイムで計測し、（２）粒子数のリアルタイムの計測と同期して、基板間を流れる電流をリアルタイムで計測し、移動した電荷量をリアルタイムで求め、（３）移動した電荷量を粒子数で除することで、移動した粒子の帯電量を測定する点にある。以下、（１）〜（３）の項目毎に本発明の特徴を説明する。
【００１４】
（１）粒子数の測定について：
上述した本発明の特徴（１）では、上からの光を斜めに当てる偏射光を用いることで、従来カメラに取り込んでいたガラス基板での反射光をなくすことができる。そのために、従来全体的に白っぽい画像になっていたのが、本発明により画像の濃淡をはっきりさせることができる。また、下からの透過光を追加することで、白色粒子、黒色粒子以外の部分である隙間の部分を光らせることができる。この偏射光と透過光とを組み合わせることにより、偏射光で白色粒子だけを、透過光で隙間の部分だけを光らせることを可能にし、偏射光および透過光のそれぞれの光の強さを調整することで白色粒子、黒色粒子の識別が可能になる。さらに、好適例として、レンズの深度（顕微鏡の合焦範囲：ピントの合う距離）を調整することで、１列目の粒子だけにピントが合うようにして、画像処理の精度を向上させることができる。ここで、粒子の移動過程を観察するにあたり、粒子がカメラから見て手前側に存在するかどうかが重要である。以上のことから、粒子移動過程の龍指数の定量化を可能とした。
【００１５】
以下、比較例と本発明例とを参照して、本発明の特徴（１）をより詳細に説明する。
【００１６】
＜比較例について＞
図３は比較例としての情報表示用パネルの粒子の帯電量測定方法の一例を説明するための図である。図３に示す例において、ガラス基板１、２間に白色粒子３Ｗと黒色粒子３Ｂとを封入した情報表示用パネル１１に対し、その表示面側のガラス基板２の上に、表示面に存在する粒子を観察する顕微鏡１２および顕微鏡１２の画像を高速で撮像する高速カメラ１３を設けている。顕微鏡１２にはハーフミラー１４を設け、光源１５からの光をハーフミラーハーフミラー１４によって同軸方向（真上）から落射光として照射することで、表示面側のガラス基板２に存在する白色粒子３Ｗおよび黒色粒子３Ｂを観察する。
【００１７】
図３に示す比較例では、照明が表示面に対し垂直方向の落射光のみであり、光は白色粒子３Ｗに対しては反射し、黒色粒子３Ｂに対しては吸収する。そのため、高速カメラ１３に取り込まれる光は、白色粒子反射光Ａとガラス反射光Ｂのみとなる。その結果、比較例の方法では、ガラスでの反射で全体的に白っぽい画像になってしまうため、コントラストが悪くなるとともに、隙間と黒色粒子とが識別されず、黒色粒子を識別することができない。
【００１８】
＜本発明例について＞
図４は本発明例としての情報表示用パネルの粒子の帯電量方法の一例を説明するための図である。図４に示す例において、ガラス基板１、２間に白色粒子３Ｗと黒色粒子３Ｂとを封入した情報表示用パネル１１に対し、その表示面側のガラス基板２の上に、表示面に存在する粒子を観察する顕微鏡１２および顕微鏡１２の画像を高速で撮像する高速カメラ１３を設けている。これらの構成は比較例と同じである。比較例と異なるのは照明の方法であり、光源２１からの光をライドガイド２２により表示面側のガラス基板２に対し斜めに当てる偏射光２３を用いると同時に、光源２４からの光をライトガイド２５により裏面側のガラス基板１に当ててガラス基板１、２を透過する透過光２６を用いることで、表示面側のガラス基板２に存在する白色粒子３Ｗおよび黒色粒子３Ｂを観察する。
【００１９】
図４に示す本発明例では、比較例と比べて、上からの光を斜めからの偏射光に変更し、下からの透過光を追加し、情報表示用パネル１１に対して偏射光と透過光とを同時に照射した状態で粒子を観察している。本発明例の方法では、偏射光により上からの光を斜めに入れることで、ガラス基板２の反射光を高速カメラ１３に入射しないようにでき、高速カメラ１３に取り込まれる光は、白色粒子反射光Ａと隙間透過光Ｃのみとなる。また、下からの透過光を追加することで、隙間の部分を光らせることができる。これにより、白色粒子、黒色粒子を識別することが可能となる。
【００２０】
＜比較例および本発明例の階調ヒストグラムについて＞
図５は比較例の画素数と階調との関係を表す階調ヒストグラムを示す図であり、図６は本発明例の画素数と階調との関係を表す階調ヒストグラムを示す図である。図５および図６に示す例では、高速度撮影カメラ１３で撮像した情報表示用パネル１１のガラス基板１２の画像を画像処理して、観察画像の各画素を２５６階調（０〜２５５）で表している（白画像→黒画像→白画像）。図５に示す比較例の階調ヒストグラムでは、黒色粒子と隙間との階調が同じピークとなり、黒色粒子の識別ができないことがわかる。また、黒色粒子と白色粒子との階調の差が小さく、画像コントラストが悪いことがわかる。一方、図６に示す本発明例の階調ヒストグラムでは、黒色粒子と隙間との階調が全く異なるピークとなり、黒色識別ができることがわかる。また、黒色粒子と白色粒子との階調の差が大きく、画像コントラストが良いことがわかる。さらに、この画像処理された撮影画像の粒子について白黒を定量化することで、移動した粒子の総数をリアルタイムで定量化することができる。
【００２１】
＜移動粒子数の定量化について＞
本発明における情報表示用パネルの粒子の帯電量測定方法における移動粒子数の定量化を説明する。例えば、白画像から黒画像にした時に移動した粒子数の定量化手法を示すと、一定の時間間隔で高速度撮影カメラにより撮像した画像における黒色粒子に対応する画素数を数えることにより、移動した粒子数の算出が可能になる。
【００２２】
＜好適な構成について＞
上述した本発明の情報表示用パネルの粒子の帯電量測定方法においては、顕微鏡の合焦範囲を粒子の直径の０．０５〜２倍とすることが好ましい。このように構成することで、１列目の粒子だけにピントが合うようにすることができ、画像処理の精度を向上させることができる。粒子の移動過程を観察するにあたり、粒子がカメラから見て手前側にいるかどうかが重要であり、この範囲にすることで、この要件を達成することができる。また、偏射光が、パネル表示面に対し垂直方向に対し、３０°〜７５°の角度を有することが好ましい。このように構成することで、表示面側のガラス基板で反射する光のうち顕微鏡に入射する光を効果的に抑制することができる。
【００２３】
（２）粒子の移動電荷量の測定について：
上述した本発明の特徴（２）では、図７にその一例を示すように、粒子（ここでは負帯電の白色粒子３Ｗおよび正帯電の黒色粒子３Ｂ）の電極５、６間の移動に伴い発生する電流を計測している。図８は粒子移動時の時間に対する電流の変化を示すグラフであり、この電流変化の積分値が粒子の移動電荷量（Ｃ）となる。
【００２４】
（３）粒子の帯電量の測定について：
上述した本発明の特徴（３）では、図９にその一例を示すように、上述した特徴（２）で求めた移動電荷量（Ｃ）を、上述した特徴（１）で求めた移動粒子数（個）で除することにより、粒子の帯電量（Ｃ）を求めている。本発明では、高速度撮影カメラと所望の照明を用いてリアルタイムで粒子数を求めることができるので、移動帯電量と移動粒子数とを短い時間間隔で同期計測を行うことができ、粒子移動中の帯電量の定量化が可能となる。
【００２５】
また、本発明では、光学的に求めた移動粒子数と電気的に求めた電流に基づく移動電荷量とから粒子の帯電量を求めているため、非破壊で粒子の帯電量を求めることができ、１枚の情報表示用パネルのみで大掛かりな装置を必要とせずに多数のデータを得ることができる。
【００２６】
図１０は、本発明の応用例として、２種粒子を連続的に移動反転させた場合における粒子の帯電量を求める例を示し、７０Ｖ、１ｋＨｚの入力パルス電圧を電極間に印加し、パルス電圧極性の反転回数と帯電量との関係を示している。本例では、反転回数に従い粒子の帯電量が徐々に上昇していることがわかる。
【００２７】
なお、本発明では、粒子の数を正確に求めて同期させているので、ある短い時間の間に移動した粒子がそれぞれどれだけの電荷を持っているのかが分かるので、帯電量の分布が分かる。帯電量の分布については、粒子の帯電量の分布が広すぎると平均した帯電量に関わらず画質が劣化してくることが考えられる。また、一部のセルにおいて粒子が表示面側の基板に貼り付いたりしている場合は、これまでの技術では正確に粒子が数えられず、ひいては帯電量も不明になるが、本発明ではその様な場合でも正確に粒子の帯電量が分かるようになる。
【００２８】
以下、本発明の粒子の帯電量測定方法の対象となる情報表示用パネルを構成する各部材について説明する。
【００２９】
基板としては、少なくとも一方の基板はパネル外側から表示媒体が確認できる透明基板であり、可視光の透過率が高くかつ耐熱性の良い材料が好適である。もう一方の基板となる背面基板は透明でも不透明でもかまわない。基板材料を例示すると、ポリエチレンテレフタレート（ＰＥＴ）、ポリエチレンナフタレート（ＰＥＮ）、ポリエチレン（ＰＥ）、ポリカーボネート（ＰＣ）、ポリイミド（ＰＩ）、ポリエーテルサルフィン（ＰＥＳ）、アクリル等の有機高分子系基板や、ガラスシート、石英シート、金属シート等を用い、表示面側にはこのうち透明なものを用いる。基板の厚みは、２〜２０００μｍが好ましく、さらに５〜１０００μｍが好適であり、薄すぎると、強度、基板間の間隔均一性を保ちにくくなり、２０００μｍより厚いと、薄型の表示部パネルとする場合に不都合がある。
【００３０】
電極の形成材料としては、アルミニウム、銀、ニッケル、銅、金等の金属類や酸化インジウム錫（ＩＴＯ）、酸化インジウム亜鉛（ＩＺＯ）、アルミニウムドープ酸化亜鉛（ＡＺＯ）、酸化インジウム、導電性酸化錫、アンチモン錫酸化物（ＡＴＯ）、導電性酸化亜鉛等の導電金属酸化物類、ポリアニリン、ポリピロール、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状にパターニング形成する方法、金属箔（例えば圧延銅箔など）をラミネートする方法や、導電剤を溶媒や合成樹脂バインダーに混合して塗布してパターニング形成する方法が用いられる。視認側（表示面側）基板に設ける電極は透明である必要があるが、背面側基板に設ける電極は透明である必要がない。いずれの場合もパターン形成可能である導電性である上記材料を好適に用いることができる。なお、電極厚みは、導電性や光透過性を鑑みて決定され、０．０１〜１０μｍ、好ましくは０．０５〜５μｍである。背面側基板に設ける電極の材質や厚みについては光透過性を鑑みる必要はない。なお、この場合の外部電圧入力は、直流あるいは交流を重畳しても良い。
【００３１】
必要に応じて基板に設ける隔壁については、その形状は表示にかかわる表示媒体の種類や、配置する電極の形状、配置により適宜最適設定され、一概には限定されないが、隔壁の幅は２〜１００μｍ、好ましくは３〜５０μｍに、隔壁の高さは１０〜５００μｍ、好ましくは１０〜２００μｍに調整される。
また、隔壁を形成するにあたり、対向する両基板１、２の各々にリブを形成した後に接合する両リブ法、片側の基板上にのみリブを形成する片リブ法が考えられる。この発明では、いずれの方法も用いられる。
これらのリブからなる隔壁により形成されるセルは、図１１に示すごとく、基板平面方向からみて四角状、三角状、ライン状、円形状、六角状が例示され、配置としては格子状やハニカム状や網目状が例示される。表示面側から見える隔壁断面部分に相当する部分（セルの枠部の面積）はできるだけ小さくした方が良く、表示状態の鮮明さが増す。
ここで、隔壁の形成方法を例示すると、金型転写法、スクリーン印刷法、サンドブラスト法、フォトリソ法、アディティブ法が挙げられる。いずれの方法もこの発明の情報表示装置に搭載する情報表示用パネルに好適に用いることができるが、これらのうち、レジストフィルムを用いるフォトリソ法や金型転写法が好適に用いられる。
【００３２】
次に、本発明における表示媒体用粒子（帯電性粒子）について説明する。表示媒体用粒子は、そのまま表示媒体用粒子だけで構成して表示媒体としたり、その他の粒子と合わせて構成して表示媒体としたりして用いられる。
粒子には、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００３３】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００３４】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００３５】
着色剤としては、以下に例示するような、有機または無機の各種、各色の顔料、染料が使用可能である。
【００３６】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００３７】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００３８】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００３９】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。上記着色剤を配合して所望の色の表示媒体用粒子を作製できる。
【００４０】
また、表示媒体用粒子（以下、粒子ともいう）は平均粒子径d(0.5)が、１〜５０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００４１】
さらに、各表示媒体用粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各表示媒体用粒子のサイズが揃い、均一な表示媒体としての移動が可能となる。
【００４２】
さらにまた、複数の表示媒体を使用する場合には、使用した表示媒体を構成する表示媒体用粒子の内、最大の平均粒子径d(0.5)を示す表示用粒子のd(0.5)に対する、最小の平均粒子径d(0.5)を示す表示媒体用粒子のd(0.5)の比を１０以下とすることが肝要である。たとえ粒子径分布Spanを小さくしたとしても、互いに帯電特性の異なる表示媒体用粒子が互いに反対方向に動くので、互いの表示媒体用粒子サイズが近く、互いの表示媒体用粒子が当量ずつ反対方向に容易に移動できるようにするのが好適であり、それがこの範囲となる。
【００４３】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行なうことができる。
【００４４】
さらに、表示媒体用粒子を含んで構成する表示媒体を気体中空間で駆動させる方式とする場合には、表示部パネル基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、図１（ａ）、（ｂ）〜図２（ａ）、（ｂ）において、対向する基板１、基板２に挟まれる部分から、電極５、６（電極を基板の内側に設けた場合）、表示媒体３の占有部分、隔壁４の占有部分（隔壁を設けた場合）、表示部パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように表示部パネルに封入することが必要であり、例えば、表示媒体の充填、表示部パネルの組み立てなどを所定湿度環境下にて行い、さらに、外からの湿度侵入を防ぐシール材、シール方法を施すことが肝要である。
【００４５】
本発明の対象とする情報表示用パネルの表示部パネルにおける基板と基板との間隔は、表示媒体が駆動できて、コントラストを維持できればよいが、通常２〜５００μｍ、好ましくは５〜２００μｍに調整される。
表示部パネルを帯電粒子気体中空間移動方式とする場合は、基板と基板との間隔は１０〜１００μｍ、好ましくは１０〜５０μｍの範囲で調整される。さらに、基板間の気体中空間における表示媒体の体積占有率は５〜７０％が好ましく、さらに好ましくは５〜６０％である。７０％を超える場合には表示媒体としての粒子の移動に支障をきたし、５％未満の場合にはコントラストが不明確となり易い。
【産業上の利用可能性】
【００４６】
本発明の対象となる情報表示用パネルは、ノートパソコン、ＰＤＡ、携帯電話、ハンディターミナル等のモバイル機器の表示部、電子書籍、電子新聞、電子マニュアル（取扱説明書）等の電子ペーパー、看板、ポスター、黒板等の掲示板、電卓、家電製品、自動車用品等の表示部、ポイントカード、ＩＣカード等のカード表示部、電子広告、電子ＰＯＰ（Point of presnece, Point of Purchase advertising）、電子値札、電子棚札、電子楽譜、ＲＦ−ＩＤ機器の表示部や、外部電界形成手段を用いて表示書き換えを行う表示部（いわゆるリライタブルペーパー）として好適に用いられる。
【図面の簡単な説明】
【００４７】
【図１】（ａ）、（ｂ）はそれぞれ本発明の粒子の帯電量測定方法の対象となる情報表示用パネルの一例を説明するための図である。
【図２】（ａ）、（ｂ）はそれぞれ本発明の粒子の帯電量測定方法の対象となる情報表示用パネルの他の例を説明するための図である。
【図３】比較例における粒子の帯電量測定方法の一例を説明するための図である。
【図４】本発明例における粒子の帯電量測定方法の一例を説明するための図である。
【図５】比較例の画素数と階調との関係を表す階調ヒストグラムを示す図である。
【図６】本発明例の画素数と階調との関係を表す階調ヒストグラムを示す図である。
【図７】本発明における粒子の移動電荷量の測定のために求める電流値の変化を説明するための図である。
【図８】本発明における粒子移動時の時間に対する電流の変化を示すグラフである。
【図９】本発明における粒子の帯電量の測定を説明するための図である。
【図１０】本発明の応用例として２種粒子を連続的に移動反転させた場合において帯電量を求める例を説明するための図である。
【図１１】本発明の対象となる情報表示用パネルで隔壁を用いる場合の隔壁の形状の一例を示す図である。
【符号の説明】
【００４８】
１、２  基板
３  表示媒体（粒子群）
３Ｗ  白色表示媒体
３Ｗａ  白色表示媒体用粒子（白色負帯電性粒子）
３Ｂ  黒色表示媒体
３Ｂａ  黒色表示媒体用粒子（黒色正帯電性粒子）
４  隔壁
５、６  電極
７  セル
１１  情報表示用パネル
１２  顕微鏡
１３  高速カメラ
１４  ハーフミラー
１５、２１、２４  光源
２２、２５  ライトガイド
２３  偏射光
２６  透過光
【図１】
2009145679.tif 000003
【図２】
2009145679.tif 000004
【図３】
2009145679.tif 000005
【図４】
2009145679.tif 000006
【図５】
2009145679.tif 000007
【図６】
2009145679.tif 000008
【図７】
2009145679.tif 000009
【図８】
2009145679.tif 000010
【図９】
2009145679.tif 000011
【図１０】
2009145679.tif 000012
【図１１】
2009145679.tif 000013